(57)【要約】【課題】塵埃などを良好に除去できる撮像装置を提供すること。【解決手段】本発明に係る撮像装置１００は、光を透過する光透過部材３０１と、前記光透過部材３０１を透過した光の像を撮像する撮像部４、１２と、前記撮像部４、１２を固定する固定部１０と、前記光透過部材３０１を振動させる振動部２０,２０ａ,２０ｂ,２０ｃ,２０ｄを有し、前記光透過部材３０１と前記固定部１０とを接続する接続部２７とを含む。【選択図】図３
2010161639.tif 000002
【特許請求の範囲】
【請求項１】
光を透過する光透過部材と、
前記光透過部材を透過した光の像を撮像する撮像部と、
前記撮像部を固定する固定部と、
前記光透過部材を振動させる振動部を有し、前記光透過部材と前記固定部とを接続する接続部とを含むことを特徴とする撮像装置。
【請求項２】
請求項１に記載された撮像装置であって、
前記振動部は、前記光透過部材と前記固定部との間に備えられていることを特徴とする撮像装置。
【請求項３】
請求項１又は請求項２に記載された撮像装置であって、
前記光透過部材と前記固定部との間で前記振動部を付勢する付勢部材を有することを特徴とする撮像装置。
【請求項４】
請求項１から請求項３までの何れか１項に記載された撮像装置であって、
前記光透過部材は矩形であり、
前記振動部は、前記矩形の光透過部材の角に対応する部分の近傍に備えられていることを特徴とする撮像装置。
【請求項５】
請求項１から請求項４までの何れか１項に記載された撮像装置であって、
前記振動部は、前記光透過部材が振動した場合の振動の腹に対応する部分の近傍に備えられていることを特徴とする撮像装置。
【請求項６】
請求項１から請求項５までの何れか１項に記載された撮像装置であって、
前記光透過部材が振動した場合の振動の節に対応する部分の近傍に備えられ、前記光透過部材を前記固定部に支持する支持部を含むことを特徴とする撮像装置。
【請求項７】
請求項２から請求項６までの何れか１項に記載された撮像装置であって、
前記光透過部材と前記振動部との間、又は、前記固定部と前記振動部との間に備えられ、前記光透過部材と前記固定部との間隔を調整する調整部材を有することを特徴とする撮像装置。
【請求項８】
請求項１から請求項７までの何れか１項に記載された撮像装置であって、
前記光透過部材は、光学ローパスフィルタの少なくとも一部であることを特徴とする撮像装置。
【発明の詳細な説明】
【技術分野】
【０００１】
本発明は、撮像装置に関する。
【背景技術】
【０００２】
デジタル一眼レフカメラ等の光学機器において、レンズ鏡筒を交換する際に塵埃がカメラ本体に侵入してしまうことがある。また、カメラ内部において、シャッタ等の駆動ユニットから塵が発生することがあり、これらのゴミが撮像素子前面の光透過性部材に付着し、撮影結果にゴミが写り込んでしまう場合がある。
【０００３】
このような問題点に対し、透明な防塵フィルタに圧電素子を設け、圧電素子に電圧を印加して防塵フィルタを振動させることにより、防塵フィルタに付着したゴミをふるい落とす技術が知られている（特許文献１参照）。
【０００４】
しかしながら、従来の技術では、防塵フィルタに伝わる振動エネルギーが比較的小さく、防塵性能が不十分になる虞があった。
【先行技術文献】
【特許文献】
【０００５】
【特許文献１】特開２００３−３３８９６１号公報
【発明の概要】
【発明が解決しようとする課題】
【０００６】
本発明は、このような実状に鑑みてなされ、その目的は、塵埃などを良好に除去できる撮像装置を提供することである。
【課題を解決するための手段】
【０００７】
上記目的を達成するために、本発明に係る撮像装置（１００）は、
光を透過する光透過部材（３０１）と、
前記光透過部材（３０１）を透過した光の像を撮像する撮像部（４、１２）と、
前記撮像部（４、１２）を固定する固定部（１０）と、
前記光透過部材（３０１）を振動させる振動部（２０,２０ａ,２０ｂ,２０ｃ,２０ｄ）を有し、前記光透過部材（３０１）と前記固定部（１０）とを接続する接続部（２７）とを含む。
【０００８】
光透過部材は、接続部を介して固定部と接続されている。固定部はカメラ筐体に接続固定されているので、振動部から発生する振動エネルギーを効率よく光透過部材に伝えることができる。小さいエネルギーでより強く光透過部材を振動させることができるので、光透過部材に付着した塵埃を良好にふるい落とすことができる。
【０００９】
前記振動部（２０,２０ａ,２０ｂ,２０ｃ,２０ｄ）は、前記光透過部材（３０１）と前記固定部（１０）との間に備えられていても良い。撮像装置（１００）は、前記光透過部材（３０１）と前記固定部（１０）との間で前記振動部（２０,２０ａ,２０ｂ,２０ｃ,２０ｄ）を付勢する付勢部材（１８）を有しても良い。
【００１０】
振動部が縮むように振動した結果、固定部と光透過部材との間隔が変化する。しかし、付勢部材により常に前記振動部を付勢することができるので、効率よく光透過部材を振動させることができる。
【００１１】
前記光透過部材（３０１）は矩形であり、前記振動部（２０,２０ａ,２０ｂ,２０ｃ,２０ｄ）は、前記矩形の光透過部材（３０１）の角に対応する部分の近傍に備えられていても良い。
【００１２】
これにより、光透過部材を透過する光束の面積を広く確保することができる。そして、撮像素子ユニットの小型化および撮像素子ユニットに対する撮像素子サイズの比率を大きくすることができる。
【００１３】
前記振動部（２０,２０ａ,２０ｂ,２０ｃ,２０ｄ）は、前記光透過部材（３０１）が振動した場合の振動の腹に対応する部分の近傍に備えられていても良い。撮像装置（１００）は、前記光透過部材（３０１）が振動した場合の振動の節に対応する部分の近傍に備えられ、前記光透過部材（３０１）を前記固定部（１０）に支持する支持部（２５）を含んでも良い。
【００１４】
本発明に係る調整部材（２２）は、前記光透過部材（３０１）と前記振動部（２０,２０ａ,２０ｂ,２０ｃ,２０ｄ）との間、又は、前記固定部（１０）と前記振動部（２０,２０ａ,２０ｂ,２０ｃ,２０ｄ）との間に備えられ、前記光透過部材（３０１）と前記固定部（１０）との間隔を調整しても良い。前記光透過部材（３０１）は、光学ローパスフィルタの少なくとも一部であっても良い。
【００１５】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【図面の簡単な説明】
【００１６】
【図１】図１は、本発明の一実施形態に係る一眼レフカメラのブロック図である。
【図２】図２は、図１に示す撮像素子ユニットの要部断面図である。
【図３】図３は、図２に示す撮像素子ユニットの要部断面図である。
【図４】図４（Ａ）は、図１に示す防塵フィルタの撮像素子側から見た正面図、図４（Ｂ）は、図４（Ａ）に示す防塵フィルタの側面図である。
【図５】図５（Ａ）〜図５（Ｄ）は、図４のＶ−Ｖ断面図である。
【図６】図６（Ａ）および図６（Ｂ）は、図４に示す各圧電素子に印加する電圧の波形図である。
【図７】図７は、本発明の他の実施形態に係る撮像素子ユニットの要部断面図である。
【図８】図８は、本発明の他の実施形態に係る撮像素子ユニットの要部断面図である。
【図９】図９（Ａ）は、本発明の他の実施形態に係る防塵フィルタの撮像素子側から見た正面図、図９（Ｂ）は、図９（Ａ）に示す防塵フィルタの側面図である。
【図１０】図１０（Ａ）および図１０（Ｂ）は、本発明の他の実施形態に係る撮像素子ユニットの要部断面図である。
【発明を実施するための形態】
【００１７】
第１実施形態
図１に示すように、本実施形態に係る撮影装置としての一眼レフカメラ１００のカメラボディ４０には、レンズ鏡筒４２が着脱自在に装着される。カメラボディ４０は、光電変換により画像情報を生成する撮像部４を有する。撮像部４から光軸Ｚ方向の前方に、光学ローパスフィルタ（ＯＬＰＦ）３０、シャッタ部４５、ミラー４６、絞り部４７、光学レンズ群４８が配置される。光を透過する基板としての光学ローパスフィルタ３０は、いわゆるモアレ現象を除去するために設けられている。
【００１８】
カメラボディ４０にはボディＣＰＵ５０が設けられ、レンズ接点５４を介して、レンズ鏡筒４２に設けられたレンズＣＰＵ５８と通信可能になっている。レンズ接点５４は、カメラボディ４０に対してレンズ鏡筒４２を連結することで、ボディＣＰＵ５０とレンズＣＰＵ５８とを電気的に接続するようになっている。ボディＣＰＵ５０には、電源５２が接続してある。電源５２は、カメラボディ４０に内蔵してある。
【００１９】
レンズ鏡筒４２内のレンズＣＰＵ５８には、焦点距離エンコーダ６６、距離エンコーダ６４、絞り駆動部（たとえばＳＴＭ）６８などが接続してある。焦点距離エンコーダ６６から、焦点距離がレンズＣＰＵ５８に入力され、焦点距離情報がボディＣＰＵ５０に出力される。距離エンコーダ６４は、光学レンズ群４８の一部のフォーカシング機構の繰り出し位置を検出する。レンズＣＰＵ５８より絞り駆動部６８が制御されることによって、絞り４７が絞り込まれる。レンズ鏡筒４２の各部材は、カメラボディ４０の電源５２から、レンズ接点５４の一部を介して電圧の供給を受けている。
【００２０】
カメラボディ４０内のボディＣＰＵ５０には、レリーズスイッチ５１、ストロボ５３、表示部５５、ジャイロセンサ７０、ＥＥＰＲＯＭ（メモリ）６０、防振スイッチ６２、防塵フィルタ駆動回路５６、画像処理コントローラ５９、ＡＦセンサ７２などが接続してある。画像処理コントローラ５９には、インターフェース回路５７を介して、撮像部４の撮像素子１２が接続してあり、撮像素子１２にて撮像された画像の画像処理を制御可能になっている。
【００２１】
表示部５５は、メニュー表示により各種設定を行ったり、撮影画像を表示する機能を有し、たとえば液晶モニタで構成される。ジャイロセンサ７０は、手ブレ等によって生じる角速度を検出し、検出信号を積分することによりブレ角度を演算して、出力信号を防振（ブレを打ち消す）のために使用する。
【００２２】
電源５２のＯＮ／ＯＦＦ時や任意のタイミングで、ボディＣＰＵ５０から防塵フィルタ駆動回路５６に信号が入力され、防塵フィルタ駆動回路５６からの出力信号を受けて、所定の周波数で防塵フィルタが駆動され、除塵動作を行う。
【００２３】
光路上にあるミラー４６は、光軸Ｚ方向から入射した光束を反射して不図示のファインダーに像を導くためのもので、サブミラー４６ａは、ミラー４６を透過した光束を反射してＡＦセンサ（たとえばＣＣＤセンサ）７２に導く。ミラー４６およびサブミラー４６ａは、不図示のミラー駆動部（たとえばＤＣモータ）により駆動され、露光中は光路から退避する。
【００２４】
レリーズスイッチ５１は、シャッタ駆動のタイミングを操作するスイッチであり、レリーズスイッチ５１のＯＮ信号がボディＣＰＵ５０に入力され、レリーズスイッチ５１の半押し時にはＡＥ、ＡＦ、防振駆動等を行う。レリーズスイッチ５１の全押し時には、ミラーアップ、シャッタ駆動等を行う。このとき、シャッタ部４５が不図示のシャッタ駆動部（たとえばＤＣモータ）により駆動され、図３に示す撮像素子１２が受光する。
【００２５】
図１に戻り、撮像素子１２により光電変換された撮影画像信号は、インターフェース回路５７、画像処理コントローラ５９を経てボディＣＰＵ５０に入力され、ＥＥＰＲＯＭ６０に記憶される。また、撮影画像は表示部５５に表示される。
【００２６】
防塵フィルタ駆動回路５６は、圧電素子に接続してあり、所定の入力信号により圧電素子を駆動し、光学ローパスフィルタ３０を振動させ、光学ローパスフィルタ３０の表面に付着している塵埃を除去する動作を行う。除塵動作の詳細については、後述する。
【００２７】
図２に示すように、本実施形態に係る撮像部４は、撮像素子１２およびケース１７からなる。ケース１７の中央部の光軸Ｚ方向前方には、撮像素子１２が固定してある。ケース１７は、固定部である基板１０の表面に、着脱自在に、あるいは着脱不可に固定してある。ケース１７は、たとえば合成樹脂あるいはセラミックスなどの絶縁体などで構成される。
【００２８】
ケース１７の光軸Ｚ方向前方の面には、額縁状に支持部材１４が配置されている。支持部材１４は、ゴムまたはスポンジ等の弾性体であり、後述する光透過板３０２〜３０４を支持すると共に、撮像素子１２を有する空間の気密を確保し、塵埃の侵入を防止している。支持部材１４はガイド部１４ａを含み、光透過板３０２〜３０４の位置決めをしている。カイド部１４ａは、ケース１７の側面部および光透過板３０４の側面部の双方に当接する。すなわち、支持部材１４は、光透過板３０４とケース１７に挟まれる本体部と、本体部に対して略垂直に接続されるガイド部１４ａとによって構成されており、略Ｔ字状の断面を有する。支持部材１４は、支持部材としての役割と、封止部材としての役割を兼ねており、撮像部４全体の小型化に貢献している。
【００２９】
光学ローパスフィルタ（ＯＬＰＦ）３０は、光透過部材である防塵フィルタ（水晶板）３０１、および光透過板３０２〜３０４から構成される。光透過板３０２〜３０４は、複数の光学板の積層構造であり、赤外線吸収ガラス板３０２と、水晶波長板（λ／４波長板）３０３と、第２の水晶板３０４との光透過板とで構成してある。積層方法としては、接着剤による積層、あるいはその他の積層方法でも良い。
【００３０】
防塵フィルタ（水晶板）３０１は、第２の水晶板３０４に対して、相互に複屈折の方向が９０度異なる水晶板であり、一方が０度方向の複屈折を有する水晶板であれば、他方の水晶板は、９０度方向の複屈折を有する水晶板である。
【００３１】
支持部１６は、光透過部材としての防塵フィルタ３０１に発生する振動の節８４，８６（図４等参照）の近傍に備えられ、防塵フィルタ３０１を基板１０に対して支持している。支持部１６が防塵フィルタ３０１の振動の節の近傍に備えられることにより、防塵フィルタ３０１の振動を阻害することなく、良好に振動させることができる。支持部材１６も、支持部材１４と同様に、ゴムまたはスポンジ等の弾性体で構成してあり、防塵フィルタ３０１を支持すると共に、防塵フィルタ３０１と赤外線吸収ガラス板３０２の空間の気密を確保し、塵埃の侵入を防止している。
【００３２】
接続部２７は、振動部である圧電素子２０を有し、防塵フィルタ３０１と基板１０とを接続している。接続部２７は、圧電素子２０、調整部材であるネジ２４、および付勢部材であるワッシャ１８から構成されている。圧電素子２０は、防塵フィルタ３０１の振動の腹に対応する部分の近傍（図４参照）に備えられている。これにより、圧電素子２０の振動を効率的に防塵フィルタ３０１に伝えることができる。
【００３３】
接続部２７の詳細な構成を図３に示す。本実施形態では、ドーナツ形状の各圧電素子が積層されることにより、圧電素子２０を構成している。積層される圧電素子２０の各層の間には、圧電素子２０に電圧を印加するための電極が設けられている。圧電素子２０の両側に設けられた不図示の電極を介して、例えば周期的な矩形波もしくはサイン波等の電圧が印加される。各圧電素子２０は、印加された電圧に応じて、光軸Ｚに沿う方向への変位を伴う周期的な伸縮運動を行うことができる。なお、圧電素子２０は、ＰＺＴ等を含む圧電セラミックス等によって構成され得るが、特に限定されない。また、本実施形態では、圧電素子が５個から構成される例を示したが、これに限定されず、１個でも良いし、他の複数個から構成されてもよい。例えば、圧電素子２０のそれぞれは、同一の圧電特性を有し、光軸Ｚ方向の厚みが等しい。本実施形態では、同一の圧電特性を有し、厚みの等しい複数の圧電素子２０を複数個用いているので、製造が容易となり、低コストに製造することができる。
【００３４】
図３において、防塵フィルタ３０１、圧電素子２０には、ネジ２４を貫通させるための貫通穴２６が各々に設けられている。この貫通穴２６に対して、付勢部材であるワッシャ１８を介して、ネジ２４の軸部２４ｂが貫通する。さらに、基板１０に設けたネジ受け部１０ａに対して、ネジ２４のネジ部２４ａを締結させる。このことにより、防塵フィルタ３０１と基板１０とで、ネジ２４により圧電素子２０を挟み込むことができる。なお、ワッシャ１８は、防塵フィルタ３０１と基板１０との間で圧電素子２０を付勢するように配置されてもよい。
【００３５】
図３において、ネジ２４によるネジ止めによって、積層された圧電素子２０に圧縮応力を加えることにより、圧電素子２０に引張応力が作用することを防止できる。圧電素子は引張応力に対して壊れやすい傾向がある。したがって、圧電素子２０が図３の矢印方向に振動し、主に圧縮応力が働くので、圧電素子２０を保護することができる。なお、ネジ２４を基板１０に締結固定する部分は、ネジ構造に限定されず、接着剤等により接着しても良い。
【００３６】
図１に示す防塵フィルタ駆動回路５６から圧電素子２０に電圧が印加されると、圧電素子２０は、光軸方向すなわち防塵フィルタ３０１の面と略垂直な方向に図３の矢印方向に伸縮振動する。この時、図３に示すネジ２４の頭部２４ｃと防塵フィルタ３０１との間隔Ｌが変化する。しかし、ワッシャ１８が間隔Ｌの変化に応じて変形することにより、ワッシャ１８がネジ２４の頭部２４ｃと防塵フィルタ３０１とを付勢する。これにより、圧電素子２０が伸縮振動しても、圧電素子２０に対して圧縮応力が依然として加えられ、効率よく防塵フィルタ３０１を振動させることができる。このため、例えば、ワッシャ１８は、防塵フィルタ３０１からみて圧電素子２０が備えられた側（マイナスＺ方向）とは反対側（プラスＺ方向）に備えられていることが好ましい。圧電素子２０には、防塵フィルタ３０１が共振する周波数の電圧を印加する。
【００３７】
圧電素子２０が図３の矢印方向に伸縮振動することにより、防塵フィルタ３０１が共振して、防塵フィルタ３０１が振動する。すなわち、防塵フィルタ３０１は、防塵フィルタ３０１の面と略垂直な方向（面外方向）からの力によって振動させられるため、強い振動が発生しやすく、効率的に塵埃を除去できる。また、この時、前述したように、基板１０はカメラ筐体に接続固定されているので、圧電素子２０から発生する振動エネルギーを効率よく防塵フィルタ３０１に伝えることができる。小さいエネルギーでより強く防塵フィルタ３０１を振動させることができるので、防塵フィルタ３０１に付着した塵埃を良好にふるい落とすことができる。
【００３８】
図４（Ａ）に示すように、防塵フィルタ３０１は矩形であり、圧電素子２０を構成する第１〜第４の圧電素子２０ａ〜２０ｄは、矩形の防塵フィルタ３０１の角に対応する部分の近傍に備えられている。これにより、防塵フィルタ３０１を透過する光束の面積を広く確保することができる。そして、図２に示す撮像素子ユニット１５の小型化を図ることができると共に、撮像素子ユニット１５に対する撮像素子１２のサイズの比率を大きくすることができ、受光面積を広くすることができる。図４（Ａ）に示す破線は、後述する６次の振動を防塵フィルタ３０１に発生させた場合の振動の節を示す。第１〜第４の圧電素子２０ａ〜２０ｄは、防塵フィルタ３０１が振動する場合の振動の腹に対応する部分に備えられている。このため、防塵フィルタ３０１は振動の腹の部分に第１〜第４の圧電素子２０ａ〜２０ｄから振動が与えられるので、効率的な振動をすることができる。
【００３９】
図４（Ａ）に示すように、第１〜第４の圧電素子２０ａ〜２０ｄを、振動時において変位が発生しない部分である振動の節８４，８６を避けて配置することによって、防塵フィルタ３０１を効率的に振動させることができる。また、防塵フィルタ３０１の表面は、振動の節８４，８６を挟んで反対方向に変位するため、圧電素子２０を振動の節８４，８６を跨いで配置すると、防塵フィルタ３０１の振動を妨げる場合がある。しかし振動の節８４，８６が生じていない部分に圧電素子２０を配置すれば、圧電素子２０は、比較的容易に防塵フィルタ３０１表面の変形に追従しながら振動できるため、防塵フィルタ３０１を効率的に振動させることができる。
【００４０】
防塵フィルタ３０１に偶数次（たとえば縦または横の６次）の振動を発生させる場合には、防塵フィルタ３０１の振動領域を挟んで対向して配置される圧電素子（たとえば第２の圧電素子２０ｂ、第４の圧電素子２０ｄ）には、互いに逆相の駆動信号を出力する。
【００４１】
すなわち、６次縦振動モードでは、図６（Ａ）に示す駆動信号８７ａを、図４（Ａ）に示す第１の圧電素子２０ａ、および第２の圧電素子２０ｂに出力する。さらに、図６（Ａ）に示す駆動信号８７ａとは逆相の駆動信号８７ｂを、図４（Ａ）に示す第３の圧電素子２０ｃ、および第４の圧電素子２０ｄに出力する。防塵フィルタ３０１の振動と、圧電素子２０の振動とは同期している。したがって、図５（Ｂ）および図５（Ｃ）に示すように、防塵フィルタ３０１の圧電素子２０が接する位置より内側に、振動の腹が、防塵フィルタ３０１の面に垂直な方向に６個交互に形成される。
【００４２】
同様にして、６次横振動モードでは、図６（Ａ）に示す駆動信号８７ａを、図４（Ａ）に示す第１の圧電素子２０ａ、および第３の２０ｃに出力する。さらに、図６（Ａ）に示す駆動信号８７ａとは逆相の駆動信号８７ｂを、図４（Ａ）に示す第２の圧電素子２０ｂ、および第４の２０ｄに出力する。
【００４３】
また、６次縦横振動モードでは、駆動信号を圧電素子２０に出力することにより、防塵フィルタ３０１の縦および横方向に同時に振動を生じさせる（図示せず）。すなわち、図６（Ａ）に示す駆動信号８７ａを図４（Ａ）に示す第１の圧電素子２０ａ、および第４の２０ｄに出力する。さらに、図６（Ａ）に示す駆動信号８７ａとは逆相の駆動信号８７ｂを図４（Ａ）に示す第２の圧電素子２０ｂ、および第３の２０ｃに出力する。
【００４４】
一方で、奇数次（たとえば７次）の振動の場合には、防塵フィルタ３０１の振動領域を挟んで対向して配置される圧電素子（たとえば第２の圧電素子２０ｂ、第４の圧電素子２０ｄ）には、図６（Ｂ）に示すように、互いに同相の駆動信号８７ｃ、８７ｄを出力する。これにより、図５（Ｄ）に示すように、防塵フィルタ３０１に７次の曲げ振動が発生する。
【００４５】
このように、防塵フィルタ駆動回路５６は、防塵フィルタ３０１に発生させる曲げ振動に適した駆動信号を、第１〜第４の圧電素子２０ａ〜２０ｄに出力する。圧電素子２０は、図４（Ａ）に示す横辺３０１ｄに平行な第１の振動の節８４を有する横曲げ振動と、縦辺３０１ｅに平行な第２の振動の節８６を有する縦曲げ振動の両方を、防塵フィルタ３０１に発生させることができる。したがって、縦曲げ振動と横曲げ振動を切り替えて、あるいは同時に防塵フィルタ３０１に発生させることにより、振動の節８４，８６の位置を変化させながら除塵動作を行うことができる。これにより、防塵フィルタ３０１の表面全体から塵埃を除去することができる。
第２実施形態
【００４６】
第２実施形態のカメラは、図７に示すように、ドーナツ形状の調整部材２２が防塵フィルタ３０１と圧電素子２０との間、又は、基板１０と圧電素子２０との間に配置されること以外は、図１〜図６に示す第１実施形態に係るカメラ１００と同様であり、重複する説明は省略する。
【００４７】
接続部２７は、圧電素子２０、調整部材であるネジ２４、付勢部材であるワッシャ１８、および調整部材２２から構成されている。図１に示す防塵フィルタ駆動回路５６から圧電素子２０に電圧が印加されると、圧電素子２０は、光軸方向すなわち防塵フィルタ３０１の面と略垂直な方向に図７の矢印方向に伸縮振動する。その結果、防塵フィルタ３０１が面外方向からの力によって振動し、良好に塵埃を除去することができる。なお、調整部材の個数は特に限定されず、１個でも良いし、他の複数の個数から構成されても良い。このように、調整部材２２が配置されることにより、基板１０と圧電素子２０との間隔を調整することができる。
第３実施形態
【００４８】
第３実施形態のカメラは、図８に示すように、圧電素子２０がネジ２４の頭部２４ｃと防塵フィルタ３０１とによって挟まれるように配置されること以外は、図１〜図６に示す第１実施形態に係るカメラ１００と同様であり、重複する説明は省略する。
【００４９】
接続部２７は、圧電素子２０、調整部材であるネジ２４、および調整部材２２から構成されている。本実施形態では、圧電素子２０がネジ２４の頭部２４ｃと防塵フィルタ３０１とによって挟まれるように配置されている。さらに、調整部材２２が、防塵フィルタ３０１と基板１０との間に配置されている。
【００５０】
図１に示す防塵フィルタ駆動回路５６から圧電素子２０に電圧が印加されると、圧電素子２０は、光軸方向すなわち防塵フィルタ３０１の面と略垂直な方向に図８の矢印方向に伸縮振動する。その結果、防塵フィルタ３０１が面外方向からの力によって振動し、良好に塵埃を除去することができる。
【００５１】
なお、本実施形態では、圧電素子が３個から構成される例を示したが、これに限定されず、１個でも良いし、他の複数個から構成されてもよい。また、調整部材２２の数も、特に限定されない。本実施形態によれば、圧電素子２０の組付け性を向上させることができる。
第４実施形態
【００５２】
第４実施形態のカメラは、図９（Ａ）に示すように、圧電素子２０を矩形の防塵フィルタ３０１の角の近傍に、少なくとも１個配置する。配置される位置は、防塵フィルタ３０１の角の近傍であって、振動の腹の位置であれば、特に限定されない。この場合にはさらに、図２に示す基板１０と防塵フィルタ３０１とを連結して支持する支持部材２５を、防塵フィルタ３０１の角の近傍であって、振動の節の位置に配置する。支持部材２５を、防塵フィルタ３０１の振動の節の位置に配置することにより、防塵フィルタ３０１の振動を阻害することなく、防塵フィルタ３０１を支持することができる。
【００５３】
本実施形態では、圧電素子２０が、矩形の防塵フィルタ３０１の対角線上の２カ所に配置されても良い。また、たとえば同一の辺３０１ｄに沿う２カ所に配置されても良い。このような構成にすることにより、図２に示す撮像素子ユニット１５の構造がシンプルになり、組立を容易にすることができる。支持部材２５は、剛性の高い部材、すなわち樹脂や金属等により構成されることが好ましい。
【００５４】
このように、配置される圧電素子２０の数が異なること、および支持部材２５が配置されること以外は、図１〜図６に示す第１実施形態に係るカメラ１００と同様であり、重複する説明は省略する。
【００５５】
なお、第１実施形態では、圧電素子２０に特定の周波数の電圧を印加することにより、防塵フィルタ３０１が共振する場合を例に説明したが、非共振の振動が発生するようにしても良い。すなわち、第１〜第４の圧電素子２０ａ〜２０ｄを同時に伸縮させ、防塵フィルタ３０１に付着した塵埃が光軸Ｚ方向前方へ押し出されるように、防塵フィルタ３０１を振動させるのである。さらに、共振および非共振の振動を組み合わせても良い。
【００５６】
なお、圧電素子２０のうち、少なくとも一部は圧電素子からなり、他の部分は剛性の高い他の部材で構成されても良い。他の部材の材料としては、金属やセラミックス等でも良い。
【００５７】
また、本実施形態において、圧電素子２０および調整部材２２はドーナツ形状をしているが、これに限定されない。すなわち、矩形や多角形の圧電素子にネジ穴が貫通した構造であっても良い。
【００５８】
さらに、本実施形態において、付勢部材としてワッシャを例に説明したが、これに限定されるものではない。ワッシャ以外にも、皿バネ等の弾性を有する部材にて代用することが可能である。
【００５９】
なお、本実施形態において、調整部材２２は、図１０（Ａ）に示すように、光透過部材であるガラス板３０５と光学ローパスフィルタ３０とによって挟み込まれても良い。また、調整部材２２は、図１０（Ｂ）に示すように、シャッタ基板８８と光学ローパスフィルタ３０とによって挟み込まれても良い。
【００６０】
また、防塵フィルタ３０１は、矩形に限定されず、円形でも良い。また、本発明に係る撮像装置は、一眼レフカメラに限定されず、ビデオカメラ、カメラが内蔵された携帯電話等にも適用することができる。
【符号の説明】
【００６１】
４…撮像部
１０…基板
１２…撮像素子
１５…撮像素子ユニット
１８…ワッシャ
２０,２０ａ,２０ｂ,２０ｃ,２０ｄ…圧電素子
２２…調整部材
２４…ネジ
２７…接続部
４０…カメラボディ
３０１…防振フィルタ
【図１】
2010161639.tif 000003
【図２】
2010161639.tif 000004
【図３】
2010161639.tif 000005
【図４】
2010161639.tif 000006
【図５】
2010161639.tif 000007
【図６】
2010161639.tif 000008
【図７】
2010161639.tif 000009
【図８】
2010161639.tif 000010
【図９】
2010161639.tif 000011
【図１０】
2010161639.tif 000012